(57)【要約】【課題】ファスナーヘッドが係合状態にある場合に、引き摺りピースを本体に係合固定でき、引き摺りピースが上がったり、誤って作動したりする虞がなく、ファスナーヘッドをいつでも係合状態にあるように保持でき、ファスナーヘッドを弛ませたり、予期しない移動をさせることがない、引き摺りピース固定機能を有するファスナーヘッドを提供する。【解決手段】二つのガイディング・スロット同士を有する本体と、前記本体に設けられ、一端にフック部を有し、当該フック部が前記本体の外ディング・スロット内に差し込まれるフック部材と、一端が前記本体の上部に連接され、且つ前記フック部材の内縁部に当接される連接部材と、前記連接部材に連接される引き摺りピースと、前記本体と前記引き摺りピースとの間に配置され、前記引き摺りピースを前記本体に係合固定する係合手段とを有する。【選択図】　　　図２
0003097475.tif 000002
【実用新案登録請求の範囲】
【請求項１】
二つのガイディング・スロット同士を有する本体と、
前記本体に設けられ、一端にフック部を有し、当該フック部が前記本体の外ディング・スロット内に差し込まれるフック部材と、
一端が前記本体の上部に連接され、且つ前記フック部材の内縁部に当接される連接部材と、
前記連接部材に連接される引き摺りピースと、
前記本体と前記引き摺りピースとの間に配置され、前記引き摺りピースを前記本体に係合固定する係合手段と、
を少なくとも有することを特徴とする引き摺りピース固定機能を有するファスナーヘッド。
【請求項２】
前記本体には仕切板を有し、当該仕切板が二つのガイディング・スロット同士の間に配置され、二つのガイディング・スロット同士を仕切ることを特徴とする請求項１に記載のファスナーヘッド。
【請求項３】
前記本体には前記フック部材を収納可能な収納スペースとスルー・ホール有し、前記スルー・ホールには前記フック部材の一端のフック部を収納できることを特徴とする請求項１に記載のファスナーヘッド。
【請求項４】
前記連接部材の一端に枢着軸を有し、当該枢着軸が前記本体の上部に枢着され、当該枢着軸が前記フック部材の内縁部に当接されることを特徴とする請求項１に記載のファスナーヘッド。
【請求項５】
前記本体の上部に二つの突出する枢着ベースが形成されつつ、前記連接部材の一端の枢着軸が前記本体の上部の二つの枢着ベースに枢着されることを特徴とする請求項４に記載のファスナーヘッド。
【請求項６】
前記連接部材の他端に第一ピン・ホールを有し、且つ前記引き摺りピースの一端に第二ピン・ホールを有し、あるピン部材を前記第一ピン・ホールと第二ピン・ホールに貫通され、前記引き摺りピースを前記連接部材の一端に枢着することを特徴とする請求項１に記載のファスナーヘッド。
【請求項７】
前記引き摺りピースの表面に文字やパターンやロゴなどが形成されることを特徴とする請求項１に記載のファスナーヘッド。
【請求項８】
前記係合手段には、前記本体の一端に設けられる係合体と、前記引き摺りピースの一端に設けられる係合ホールとを含み、前記係合体と前記係合ホールとが係合できることを特徴とする請求項１に記載のファスナーヘッド。
【請求項９】
前記係合手段には、前記本体の一端に設けられる第一突出係合部材と、前記引き摺りピースの一端に設けられる第二突出係合部材とを含み、前記第一突出係合部材と前記第二突出係合部材とが相互に係合しあうことができることを特徴とする請求項１に記載のファスナーヘッド。
【請求項１０】
前記係合手段には、前記本体の一端の外縁部に設けられる突出係合体と前記引き摺りピースの一端に設けられる係合ホールとを含み、前記突出係合体と前記係合ホールとが相互に係合できることを特徴とする請求項１に記載のファスナーヘッド。
【考案の詳細な説明】
【０００１】
【考案の属する技術分野】
本考案は、引き摺りピース固定機能を有するファスナーヘッドに係わり、特に自己ロック式ファスナーヘッドに適用され、引き摺りピースを本体に固定でき、引き摺りピースが上がることはなく、且つ誤って動作することはなく、ファスナーヘッドをいつでも係合状態に保持されるようにすることができるファスナーヘッドに関するものである。
【０００２】
【従来の技術】
図１に示すように、従来のファスナーヘッドには、本体１００とフック部材２００と引き摺りピース３００を備え、本体１００には二つのガイディング・スロット同士１０１を有し、それらの二つのガイディング・スロット同士１０１おいてファスナー歯部同士４００の合わせられることに供できる。フック部材２００は弾性を有する金属材からなるものであり、フック部材２００が本体１００内に収納され、フック部材２００にはフック部２０１を有し、フック部２０１が本体１００のガイディング・スロット１０１内に差し込まれ、ファスナー歯部同士４００に係合されることができ、係合の作用を達成でき、引き摺りピース３００が引き摺られていないうちにファスナーヘッドに係合状態を呈させることができ、自己ロック式ファスナーヘッドを形成できる。引き摺りピース３００が本体１００の上部に連接され、且つ引き摺りピース３００の枢着軸３０１がフック部材の内縁部に当接され、そのため、引き摺りピース３００が上向きに引き上げられる場合、フック部材２００のフック部２０１を上向きに移動させるように連動し、ガイディング・スロット１０１内のファスナー４００を分離させ、それによってファスナーヘッドがファスナー歯部同士４００において順調に移動させることができ、ファスナーの結合または離脱をコントロールできる。
【０００３】
しかしながら、前記の従来のファスナーヘッドの場合では、係合状態における場合でも、引き摺りピース３００が自分で上向きに上がり、誤って動作する可能性があるので、フック部材３００のフック部２０１とガイディング・スロット１０１とを分離させることができ、ファスナーヘッドを弛ませ、予期しない移動を生じたりすることによってファスナーの分離を生じるようになり、特に靴などの動作が大きい物品に取り付けられるファスナーヘッドの場合では、前記の現象がもっと厳しくなる。
【０００４】
【考案が解決しようとする課題】
本考案は、ファスナーヘッドが係合状態にある場合に、引き摺りピースを本体に係合固定でき、引き摺りピースが上がったり、誤って作動したりする虞がなく、ファスナーヘッドをいつでも係合状態にあるように保持でき、ファスナーヘッドを弛ませたり、予期しない移動をさせることがない、引き摺りピース固定機能を有するファスナーヘッドを提供することをその主要的な目的とする。
【０００５】
【課題を解決するための手段】
前記の目的を図るために、本考案は、二つのガイディング・スロット同士を有する本体と、前記本体に設けられ、一端にフック部を有し、当該フック部が前記本体の外ディング・スロット内に差し込まれるフック部材と、一端が前記本体の上部に連接され、且つ前記フック部材の内縁部に当接される連接部材と、前記連接部材に連接される引き摺りピースと、前記本体と前記引き摺りピースとの間に配置され、前記引き摺りピースを前記本体に係合固定する係合手段と、を少なくとも有する、引き摺りピース固定機能を有するファスナーヘッドを提供する。
【０００６】
本考案の特徴と技術内容を明らかにするために、以下に添付図面を参照しながら本考案の好適な実施の形態を詳細的で具体的に説明するが、それらの説明による具体的な構造は単に本考案の実施可能な実施の形態に過ぎず、本考案を制限するものではない。
【０００７】
【考案の実施の形態】
図２ないし図４に示すように、本考案は、引き摺りピース固定機能を有するファスナーヘッドを提供し、当該ファスナーヘッドには、本体１０とフック部材２０と連接部材３０と引き摺りピース４０と係合手段５０とを備え、本体１０は金属材またはプラスチック材からなるものであり、その本体１０には二つのガイディング・スロット同士１１と仕切板１２とを有し、仕切板１２が二つのガイディング・スロット同士１１の間に位置し、二つのガイディング・スロット同士１１を仕切ることに用いられ、二つのガイディング・スロット同士１１がファスナー歯部同士６０の合わせられることに供できる（図４参照）。本体１０にはさらにフック部材２０を収納可能な収納スペース１３とスルー・ホール１４を備え（図４参照）、スルー・ホール１４にフック部材２０の一端のフック部２２を納入できる。本体１０の上部に二つの突出する枢着ベース１５が形成され、それらに連接部材３０と引き摺りピース４０とを枢着連接できる。
【０００８】
フック部材２０が弾性を有する金属材からなり、フック部材２０の一端に支点２１を有し、且つフック部材２０の他端にフック部２２を有し、フック部材２０の支点２１が本体１０の収納スペース１３内に納入されると共に、フック部材２０のフック部２２が本体１０のスロー・ホール１３内に納入され、フック部２２が本体１０のガイディング・スロット同士１１内に差し込まれ、ファスナー歯部同士６０に係合できる。
【０００９】
連接部材３０が金属材またはプラスチック材からなり、連接部材３０の一端に枢着軸３１を有し、枢着軸３１が本体１０の上部の二つの枢着ベース１５に枢着され、連接部材３０を枢着の方式によって本体１０の上部に連結する。且つ連接部材３０の枢着軸３１がフック部材２０の内縁部に当接され、そのため、連接部材３０が上向きに引っ張られる場合、フック部材２０のフック部２２とガイディング・スロット同士１１内のファスナー歯部同士６０を分離させることができる。連接部材３０の他端に第一ピン・ホール３２を有し、引き摺りピース４０を連接することに助力を与えられる。
【００１０】
引き摺りピース４０が金属材またはプラスチック材からなるものであり、その引き摺りピース４０の表面に大きい面積を有し、文字やパターンやロゴなどを設定できる。引き摺りピース４０の一端に第二ピン・ホール４１を有し、第二ピン・ホール４１が連接部材３０の一端における第一ピン・ホール３２と対応し、且つピン部材３３によって第一ピン・ホール３２と第二ピン・ホール４１を貫通し、引き摺りピース４０をピン部材３３を介して連接部材３０の一端に枢着する。
【００１１】
係合手段５０が本体１０と引き摺りピース４０との間に配置され、それには本体１０の一端の外縁部に位置する係合体５１と引き摺りピース４０の一端の対応する係合ホール５２とを含み、引き摺りピース４０が使用されない場合にフック部材２０と連接部材３０にカバーすることができ、且つ係合体５１と係合ホール５２とを係合させることができ、引き摺りピース４０の自由端をフック部材２０と連接部材３０に係合固定カバーさせることができる。前記の諸構成によって本考案の引き摺りピース固定機能を有するファスナーヘッドを形成する。
【００１２】
フック部材２０のフック部２２が本体１０のガイディング・スロット１１内に差し込まれ、ファスナー歯部同士６０に係合でき、ファスナーヘッドを移動不能に設定でき、係合の作用を発揮できる。引き摺りピース４０が引っ張られない場合、係合状態を呈し、自己ロック式ファスナーヘッドを形成できる。引き摺りピース４０を引き摺る場合（図５参照）、連接部材３０の枢着軸３１を連動してフック部材２０を上向きに移動させ、フック部材２０のフック部２２をガイディング・スロット同士１１内のファスナー歯部同士６０より分離させ、ファスナーヘッドをファスナー歯部同士６０において順調に移動させることができ、ファスナー歯部同士６０の結合または分離をコントロールできる。
【００１３】
本考案は主に本体１０と引き摺りピース４０との間に係合手段５０を配置し、引き摺りピース４０が引っ張られない場合に、つまり、前記ファスナーヘッドが係合状態を呈する場合に、係合手段５０によって引き摺りピース４０と本体１０とを係合固定させることができ、引き摺りピース４０を本体１０に係合固定できるので、引き摺りピース４０が上がってリ、誤って作動したりする虞などを一切無くすことができ、ファスナーヘッドを係合状態に保持でき、引き摺りピース４０を引き摺る場合、引き摺りピース４０または連接部材３０を引くと、本体１０と引き摺りピース４０とを分離させることができる。
【００１４】
また、図６に示すように、本考案における係合手段５０として他の異なる設計を採用でき、それには本体１０の一端の両側の外縁部に設けられる第一突出係合部材５３と引き摺りピース４０の一端の両側の内縁部における対応する第二突出係止部材５４とを有し、第一係合部材５３と第二係合部材５４が相互に係合でき、引き摺りピース４０を本体１０に係合固定することができる。
【００１５】
また、図７に示すように、本考案の係合手段５０として別の異なる設計を採用でき、それには本体１０の一端の外縁部に位置する第一突出係合部材５５と、引き摺りピース４０の一端の内縁部における対応しあう第二係合部材５６とを含み、それらの第一係合部材５５と第二係合部材５６とが相互に係合でき、引き摺りピース４０を本体１０に係合固定することができる。
【００１６】
また、図８に示すように、本考案の係合手段５０として別の異なる設計を採用でき、それには本体１０の一端の外縁部に設けられる突出係合体５７と引き摺りピース４０の一端の対応しあう係合ホール５８を含み、突出係合体５７と係合ホール５８とが相互に係合でき、引き摺りピース４０を本体１０に係合固定することができる。
【図面の簡単な説明】
【図１】従来のファスナーヘッドを示す断面図である。
【図２】本考案の第一の実施の形態を示す分解斜視図である。
【図３】本考案の第一の実施の形態を示す組立斜視図である。
【図４】本考案の第一の実施の形態を示す断面図である。
【図５】本考案の第一の実施の形態の引き摺りピースの引き摺られる場合の状況を示す断面図である。
【図６】本考案の第二の実施の形態を示す分解斜視図である。
【図７】本考案の第三の実施の形態を示す分解斜視図である。
【図８】本考案の第四の実施の形態を示す分解斜視図である。
【符号の説明】
１０　本体
１１　ガイディング・スロット
１２　仕切板
１３　収納スペース
１４　スルー・ホール
１５　枢着ベース
２０、２２　フック部材
２１　支点
３０　連接部材
３１　枢着軸
３２　第一ピン・ホール
３３　ピン部材
４０　引き摺りピース
４１　第二ピン・ホール
５０　係合手段
５１、５７　係合体
５２、５８　係合ホール
５３、５５　第一突出係合部材
５４、５６　第二突出係合部材
６０　ファスナー歯部同士
【図１】
0003097475.tif 000003
【図２】
0003097475.tif 000004
【図３】
0003097475.tif 000005
【図４】
0003097475.tif 000006
【図５】
0003097475.tif 000007
【図６】
0003097475.tif 000008
【図７】
0003097475.tif 000009
【図８】
0003097475.tif 000010